(57)【要約】      （修正有）【課題】アウターソールに取り付けることにより、履物に種々の機能を持たせて、履物の機能を向上させる補助具を提供する。【解決手段】履物５００に設けられているアウターソール（主アウターソール）５１０に取り付けられる補助アウターソール１１０Ａと、補助アウターソールを主アウターソールの接地面５１１に着脱自在に取り付け可能な補助アウターソール取り付け部材１２０とを備え、補助アウターソール取り付け部材は、主アウターソールの接地面に取り付けられる第１の面ファスナー１２１と、補助アウターソールに取り付けられる第２の面ファスナー１２２とを有し、第１の面ファスナーと第２の面ファスナーとを接合することにより、補助アウターソールを主アウターソールに着脱自在に取り付け可能とする。【選択図】図１
0003224577.tif 000002
【実用新案登録請求の範囲】
【請求項１】
履物に設けられているアウターソールに取り付けることによって、当該履物に多種の機能を持たせることができる履物の機能向上用補助具であって、
前記履物に設けられているアウターソールを主アウターソールとしたとき、当該主アウターソールの接地面の側に着脱自在に取り付けられる補助アウターソールと、
前記補助アウターソールと前記主アウターソールとの間に介在され、前記補助アウターソールを前記主アウターソールの前記接地面に着脱自在に取り付け可能な補助アウターソール取り付け部材と、
を備え、
前記補助アウターソール取り付け部材は、
前記主アウターソールの前記接地面に取り付けられる第１の面ファスナーと、前記補助アウターソールの前記主アウターソールに対向する側の面に取り付けられる第２の面ファスナーとを有し、前記第１の面ファスナーと前記第２の面ファスナーとを接合させることによって、前記補助アウターソールを前記主アウターソールの前記接地面の側に着脱自在に取り付け可能とすることを特徴とする履物の機能向上用補助具。
【請求項２】
請求項１に記載の履物の機能向上用補助具において、
前記第１の面ファスナーの先端部には、前記主アウターソールの先端立ち上がり部の一部の区間に取り付けられる第１の先端側ベルト状面ファスナーが、前記第１の面ファスナーの先端部から前方に突出して設けられているとともに、前記第１の面ファスナーの後端部には、前記主アウターソールの後端立ち上がり部の一部の区間に取り付けられる第１の後端側ベルト状面ファスナーが、前記第１の面ファスナーの後端部から後方に突出して設けられており、
前記第２の面ファスナーの先端部には、前記第１の先端側ベルト状面ファスナーに接合可能な第２の先端側ベルト状面ファスナーが、前記第２の面ファスナーの先端部から前方に突出して設けられているとともに、前記第２の面ファスナーの後端部には、前記第１の後端側ベルト状面ファスナーに接合可能な第２の後端側ベルト状面ファスナーが、前記第２の面ファスナーの後端部から後方に突出して設けられている、
ことを特徴とする履物の機能向上用補助具。
【請求項３】
請求項２に記載の履物の機能向上用補助具において、
前記主アウターソールの先端立ち上がり部の一部の区間は、当該主アウターソールの先端部においてそれぞれ左右方向にほぼ半円に描く区間に対応する区間であり、前記主アウターソールの後端立ち上がり部の一部の区間は、当該主アウターソールの後端部においてそれぞれ左右方向にほぼ半円に描く区間に対応する区間であることを特徴とする履物の機能向上用補助具。
【請求項４】
請求項１〜３のいずれかに記載の履物の機能向上用補助具において、
前記第１の面ファスナー及び前記第２の面ファスナーは、前記主アウターソールの踏み付け部を含む前領域に対応する前領域面ファスナーと前記主アウターソールの踵部を含む後領域に対応する後領域面ファスナーとに分割されていることを特徴とする履物の機能向上用補助具。
【請求項５】
請求項１〜４のいずれかに記載の履物の機能向上用補助具において、
前記補助アウターソールには、当該補助アウターソールの踵部の部分が他の部分に比べて厚底となっている厚底踵部が形成されており、当該厚底踵部の後端縁における下面側が曲面となるように面取りされていることを特徴とする履物の機能向上用補助具。
【請求項６】
請求項５に記載の履物の機能向上用補助具において、
前記厚底踵部の後端縁から続く左右の側縁までの下面側が曲面となるように面取りされていることを特徴とする履物の機能向上用補助具。
【請求項７】
請求項１〜６のいずれかに記載の履物の機能向上用補助具において、
前記補助アウターソールは、当該補助アウターソールの接地面に滑り止め機能を有することを特徴とする履物の機能向上用補助具。
【請求項８】
請求項１〜７のいずれかに記載の履物の機能向上用補助具において、
前記補助アウターソールには、前記履物のつま先部を覆うことができる「つま先カバー」が設けられていることを特徴とする履物の機能向上用補助具。
【請求項９】
請求項８に記載の履物の機能向上用補助具において、
前記つま先カバーは、高い剛性を有する部材で形成されていることを特徴とする履物の機能向上用補助具。
【請求項１０】
請求項１〜９のいずれかに記載の履物の機能向上用補助具において、
前記第１の面ファスナーと前記主アウターソールとの間、及び、前記第２の面ファスナーと前記補助アウターソールとの間の少なくとも一方には、伸縮性を有するシートが介在されていることを特徴とする履物の機能向上用補助具。
【請求項１１】
請求項１〜９のいずれかに記載の履物の機能向上用補助具において、
前記第１の面ファスナーと前記主アウターソールとの間、及び、前記第２の面ファスナーと前記補助アウターソールとの間の少なくとも一方には、防刃性を有するシートが介在されていることを特徴とする履物の機能向上用補助具。
【考案の詳細な説明】
【技術分野】
【０００１】
本考案は、履物にもともと設けられているアウターソールに取り付けることによって、当該履物の機能を向上させることができる履物の機能向上用補助具に関する。
【背景技術】
【０００２】
履物（ここでは靴として説明する。）にもともと設けられているアウターソールに何らかの補助具を取り付けることによって、当該履物の機能を向上させることができる。例えば、滑り易い路面や床面での滑り止めの機能を有する滑り止め具などもその１つである。このような滑り止め具は従来、種々提案されている（例えば、特許文献１参照。）。
【０００３】
図１０は、特許文献１に記載されている滑り止め具９００を説明するために示す図である。特許文献１に記載されている滑り止め具９００は、図１０に示すように、靴８００のつま先部８１０を被覆する袋状のつま先被覆部９１０と、靴８００の踵部８２０に掛け回される掛け回し部９２０とを有する。そして、つま先被覆部９１０の接地面には、平面視形状がＸ字型をなす突条部（図示せず。）を有する滑り止め板９３０が取り付けられている。
【０００４】
このように、特許文献１に記載されている滑り止め具９００は、靴８００にもともと設けられているアウターソール８３０に取り付けることにより、凍結した路面などでも滑り止めの機能を有するとしている。
【先行技術文献】
【特許文献】
【０００５】
【特許文献１】実用新案登録第３００７１１６号公報
【考案の概要】
【考案が解決しようとする課題】
【０００６】
しかしながら、特許文献１に記載されている滑り止め具９００は、滑り止めの機能は有すると考えられるが、当該滑り止め具９００のつま先被覆部９１０を靴８００の表面に被せるとともに、かけ回し部９２０を靴８００の踵部８２０に掛け回す構造となっているため、見た目に仰々しいものとなることは否めない。また、特許文献１に記載されている滑り止め具９００は、滑り止め機能についてのみが言及されているが、他の機能を持たせることも望まれている。例えば、片足が不自由な身障者が、車椅子を利用する場合、靴を履いた自分の足（不自由ではない方の足）で地面又は床面を擦るようにして前進するような動作を行う。車椅子を利用する身障者がこのような動作を行う場合においては、靴を履いた自分の足の踵で地面又は床面を擦り、その後、「踏み付け部」で地面又は床面を擦って推進力を得て前進するといった動作を行う。
【０００７】
車椅子を利用する身障者がこのような動作を行う場合においては、靴にもともと設けられているアウターソールに、上記した動作（靴を履いた自分の足で地面又は床面を擦るようにして前進するような動作）を行うに適した機能を持たせることが好ましいが、特許文献１に記載されている滑り止め具９００では対応しにくい。
【０００８】
本考案は上記事情に鑑みてなされたものであり、履物に設けられているアウターソールに取り付けることによって、当該履物に多種の機能を持たせることができ、それによって、履物の機能を向上させることができる履物の機能向上用補助具を提供することを目的とする。
【課題を解決するための手段】
【０００９】
［１］本考案の履物の機能向上用補助具は、履物に設けられているアウターソールに取り付けることによって、当該履物に多種の機能を持たせることができる履物の機能向上用補助具であって、前記履物に設けられているアウターソールを主アウターソールとしたとき、当該主アウターソールの接地面の側に着脱自在に取り付けられる補助アウターソールと、前記補助アウターソールと前記主アウターソールとの間に介在され、前記補助アウターソールを前記主アウターソールの前記接地面に着脱自在に取り付け可能な補助アウターソール取り付け部材と、を備え、前記補助アウターソール取り付け部材は、前記主アウターソールの前記接地面に取り付けられる第１の面ファスナーと、前記補助アウターソールの前記主アウターソールに対向する側の面に取り付けられる第２の面ファスナーとを有し、前記第１の面ファスナーと前記第２の面ファスナーとを接合させることによって、前記補助アウターソールを前記主アウターソールの前記接地面の側に着脱自在に取り付け可能とすることを特徴とする。
【００１０】
［２］本考案の履物の機能向上用補助具においては、前記第１の面ファスナーの先端部には、前記主アウターソールの先端立ち上がり部の一部の区間に取り付けられる第１の先端側ベルト状面ファスナーが、前記第１の面ファスナーの先端部から前方に突出して設けられているとともに、前記第１の面ファスナーの後端部には、前記主アウターソールの後端立ち上がり部の一部の区間に取り付けられる第１の後端側ベルト状面ファスナーが、前記第１の面ファスナーの後端部から後方に突出して設けられており、前記第２の面ファスナーの先端部には、前記第１の先端側ベルト状面ファスナーに接合可能な第２の先端側ベルト状面ファスナーが、前記第２の面ファスナーの先端部から前方に突出して設けられているとともに、前記第２の面ファスナーの後端部には、前記第１の後端側ベルト状面ファスナーに接合可能な第２の後端側ベルト状面ファスナーが、前記第２の面ファスナーの後端部から後方に突出して設けられている、ことが好ましい。
【００１１】
［３］本考案の履物の機能向上用補助具においては、前記主アウターソールの先端立ち上がり部の一部の区間は、当該主アウターソールの先端部においてそれぞれ左右方向にほぼ半円に描く区間に対応する区間であり、前記主アウターソールの後端立ち上がり部の一部の区間は、当該主アウターソールの後端部においてそれぞれ左右方向にほぼ半円に描く区間に対応する区間であることが好ましい。
【００１２】
［４］本考案の履物の機能向上用補助具においては、前記第１の面ファスナー及び前記第２の面ファスナーは、前記主アウターソールの踏み付け部を含む前領域に対応する前領域面ファスナーと前記主アウターソールの踵部を含む後領域に対応する後領域面ファスナーとに分割されていることが好ましい。
【００１３】
［５］本考案の履物の機能向上用補助具においては、前記補助アウターソールには、当該補助アウターソールの踵部の部分が他の部分に比べて厚底となっている厚底踵部が形成されており、当該厚底踵部の後端縁における下面側が曲面となるように面取りされていることが好ましい。
【００１４】
［６］本考案の履物の機能向上用補助具においては、前記厚底踵部の後端縁から続く左右の側縁までの下面側が曲面となるように面取りされていることが好ましい。
【００１５】
［７］本考案の履物の機能向上用補助具においては、前記補助アウターソールは、当該補助アウターソールの接地面に滑り止め機能を有することが好ましい。
【００１６】
［８］本考案の履物の機能向上用補助具においては、前記補助アウターソールには、前記履物のつま先部を覆うことができる「つま先カバー」が設けられていることが好ましい。
【００１７】
［９］本考案の履物の機能向上用補助具においては、前記つま先カバーは、高い剛性を有する部材で形成されていることが好ましい。
【００１８】
［１０］本考案の履物の機能向上用補助具においては、前記第１の面ファスナーと前記主アウターソールとの間、及び、前記第２の面ファスナーと前記補助アウターソールとの間の少なくとも一方には、伸縮性を有するシートが介在されていることが好ましい。
【００１９】
［１１］本考案の履物の機能向上用補助具においては、前記第１の面ファスナーと前記主アウターソールとの間、及び、前記第２の面ファスナーと前記補助アウターソールとの間の少なくとも一方には、防刃性を有するシートが介在されていることも好ましい。
【考案の効果】
【００２０】
本考案の履物の機能向上用補助具によれば、本考案の履物の機能向上用補助具を履物に設けられているアウターソール（主アウターソール）に取り付けることによって、当該履物に多種の機能を持たせることができ、それによって、履物の機能を向上させることができる。
【図面の簡単な説明】
【００２１】
【図１】実施形態１に係る履物の機能向上用補助具１Ａを説明するために示す図である。
【図２】実施形態１に係る履物の機能向上用補助具１Ａにおける補助アウターソール取り付け部材１２０の側面図である。
【図３】実施形態１に係る履物の機能向上用補助具１Ａを靴５００に装着する際の手順について説明する図である。
【図４】実施形態１に係る履物の機能向上用補助具１Ａを靴５００に装着した状態を示す図である。
【図５】実施形態２に係る履物の機能向上用補助具１Ｂを説明するために示す図である。
【図６】実施形態２に係る履物の機能向上用補助具１Ｂが装着された状態の靴を示す図である。
【図７】実施形態３に係る履物の機能向上用補助具１Ｃを説明するために示す図である。
【図８】実施形態３に係る履物の機能向上用補助具１Ｃが装着された状態の靴５００を示す図である。
【図９】本考案の変形例を説明するために示す図である。
【図１０】特許文献１に記載されている滑り止め具９００を説明するために示すである。
【考案を実施するための形態】
【００２２】
以下、本考案の実施形態について説明する。なお、以下に示す各実施形態においては、履物は靴であるとする。また、靴の種類は特に限定されるものではなく、例えば、靴紐を有するスニーカーのような靴であってもよく、また、靴紐のない靴（例えば、スリッポンと呼ばれている浅い靴や長靴のような深い靴）であってもよい。ここでは、スリッポンと呼ばれている靴を例にとって説明するが、特に、スリッポンの中でもアウターソールの厚みが比較的薄い靴を例にとって説明する。
【００２３】
［実施形態１］
図１は、実施形態１に係る履物の機能向上用補助具１Ａを説明するために示す図である。
図２は、実施形態１に係る履物の機能向上用補助具１Ａにおける補助アウターソール取り付け部材１２０の側面図である。なお、図２（ａ）は図１において示した履物の機能向上用補助具１Ａの側面を矢印ｙ方向に沿って見た図であり、図２（ｂ）は図２（ａ）に示す補助アウターソール１１０Ａを後方から矢印ｘ方向に沿って見た図である。
【００２４】
図１及び図２を参照して、実施形態１に係る履物の機能向上用補助具１Ａを説明する。実施形態１に係る履物の機能向上用補助具１Ａは、履物としての靴５００にもともと設けられているアウターソール５１０（主アウターソール５１０とする。）の下面（接地面ともいう。）５１１の側に着脱自在に取り付けられる補助アウターソール１１０Ａと、当該補助アウターソール１１０Ａと主アウターソール５１０との間に介在され、当該補助アウターソール１１０Ａを主アウターソール５１０の接地面５１１の側に着脱自在に取り付け可能な補助アウターソール取り付け部材１２０と、を備えている。なお、主アウターソール５１０及び補助アウターソール１１０Ａの平面形状及び平面サイズは、それぞれがほぼ同じ形状でほぼ同じサイズとなっている。
【００２５】
補助アウターソール取り付け部材１２０は、主アウターソール５１０に取り付けられる第１の面ファスナー１２１と、補助アウターソール１１０Ａに取り付けられる第２の面ファスナー１２２とを有している。第１の面ファスナー１２１は、主アウターソール５１０の接地面５１１に取り付けられ、第２の面ファスナー１２２は、補助アウターソール１１０Ａの上面（主アウターソール５１０に対向する側の面）に取り付けられる。
【００２６】
なお、第１の面ファスナー１２１は、主アウターソール５１０の平面形状とほぼ同じ平面形状を有するとともに、主アウターソール５１０の平面サイズとほぼ同じ平面サイズを有している。第２の面ファスナー１２２も、主アウターソール５１０の平面形状とほぼ同じ平面形状を有するとともに、主アウターソール５１０の平面サイズとほぼ同じ平面サイズを有している。このため、第１の面ファスナー１２１及び第２の面ファスナー１２２の平面形状及び平面サイズは、それぞれがほぼ同じ形状でほぼ同じサイズとなっている。
【００２７】
また、第１の面ファスナー１２１の先端部には、主アウターソール５１０の先端立ち上がり部の一部の区間５１２ａ（主アウターソール５１０において灰色で示す部分）に取り付けられるベルト状の面ファスナー１２１ａ（第１の先端側ベルト状面ファスナー１２１ａという。）が、第１の面ファスナー１２１の先端部から前方に突出して設けられている。
【００２８】
また、第１の面ファスナー１２１の後端部には、主アウターソール５１０の後端立ち上がり部の一部の区間５１２ｂ（主アウターソール５１０において灰色で示す部分）に取り付けられるベルト状の面ファスナー１２１ｂ（第１の後端側ベルト状面ファスナー１２１ｂという。）が、第１の面ファスナーの１２１の後端部から後方に突出して設けられている。
【００２９】
第１の先端側ベルト状面ファスナー１２１ａは、主アウターソール５１０の先端立ち上がり部の一部の区間５１２ａに対応する形状を有し、第１の後端側ベルト状面ファスナー１２１ｂは、主アウターソール５１０の後端立ち上がり部の一部の区間５１２ａに対応する形状を有している。そして、第１の先端側ベルト状面ファスナー１２１ａは、第１の面ファスナー１２１との境界（折り曲げ部１２１ｃとする。）において上方向（ｚ軸に沿った方向）に折り曲げ可能となっており、第１の後端側ベルト状面ファスナー１２１ｂは、第１の面ファスナー１２１との境界（折り曲げ部１２１ｃとする。）において上方向（ｚ軸に沿った方向）に折り曲げ可能となっている。
【００３０】
ここで、主アウターソール５１０の先端立ち上がり部の一部の区間５１２ａというのは、当該主アウターソール５１０の先端部において左右方向にほぼ半円を描く区間に対応する区間である。また、主アウターソール５１０の後端立ち上がり部の一部の区間５１２ｂというのは、当該主アウターソール５１０の後端部において左右方向にほぼ半円を描く区間に対応する区間である。
【００３１】
一方、第２の面ファスナー１２２の先端部には、第１の先端側ベルト状面ファスナー１２１ａに接合可能なベルト状の面ファスナー１２２ａ（第２の先端側ベルト状面ファスナー１２２ａという。）が、当該第２の面ファスナー１２２の先端部から前方に突出して設けられているとともに、当該第２の面ファスナー１２２の後端部には、第１の後端側ベルト状面ファスナー１２１ｂに接合可能なベルト状の面ファスナー１２２ｂ（第２の後端側ベルト状面ファスナー１２２ｂという。）が、当該第２の面ファスナー１２２の後端部から後方に突出して設けられている。
【００３２】
第２の先端側ベルト状面ファスナー１２２ａは、第１の先端側ベルト状面ファスナー１２１ａに対応する形状を有し、第２の後端側ベルト状面ファスナー１２２ｂは、第１の後端側ベルト状面ファスナー１２１ｂに対応する形状を有している。そして、第２の先端側ベルト状面ファスナー１２２ａは、第２の面ファスナー１２２との境界（折り曲げ部１２２ｃとする。）において上方向（ｚ軸に沿った方向）に折り曲げ可能となっており、第２の後端側ベルト状面ファスナー１２１ｂは、第２の面ファスナー１２２との境界（折り曲げ部１２２ｃとする。）において上方向（ｚ軸に沿った方向）に折り曲げ可能となっている。
【００３３】
また、第１の面ファスナー１２１は、主アウターソール５１０の踏み付け部を含む前領域５１１ａに対応する前領域面ファスナー１２１ｄと主アウターソール５１０の踵部を含む後領域５１１ｂに対応する後領域面ファスナー１２１ｅとに分割されている。第２の面ファスナー１２２も同様に、主アウターソール５１０の踏み付け部を含む前領域５１１ａに対応する前領域面ファスナー１２２ｄと主アウターソール５１０の踵部を含む後領域５１１ｂに対応する後領域面ファスナー１２２ｅとに分割されている。
【００３４】
続いて、補助アウターソール１１０Ａについて説明する。補助アウターソール１１０Ａの素材は、実施形態１に係る履物の機能向上用補助具１Ａにおいては、硬質の合成ゴムなどを好ましく用いることができる。
【００３５】
また、補助アウターソール１１０Ａは、実施形態１に係る履物の機能向上用補助具１Ａにおいては、当該補助アウターソール１１０Ａの踵部１１１が他の部分に比べて厚底となっている。なお、実施形態１に係る履物の機能向上用補助具１Ａにおいては、補助アウターソール１１０Ａの踵部１１１を「厚底踵部１１１」という。具体的には、厚底踵部１１１の厚みｔ１（図２（ａ）参照。）は、２０ｍｍ〜５０ｍｍ程度が好ましい。
【００３６】
また、厚底踵部１１１の後端縁における下面側が曲面となるように面取りされており、さらに、当該後端縁から続く左右の側縁までが曲面となるように面取りされている（図２（ａ）及び図２（ｂ）参照。）。すなわち、補助アウターソール１１０Ａの厚底踵部１１１は、人間の足の踵に近い曲面形状となっている。このような形状の厚底踵部１１１を有する補助アウターソール１１０Ａは、ある特定の用途において大きな効果を発揮するが、これについては後述する。
【００３７】
なお、実施形態１に係る履物の機能向上用補助具１Ａにおいては、厚底踵部１１１の後端縁における下面側が曲面となるように面取りされており、さらに、当該後端縁から続く左右の側縁までが曲面となるように面取りされている場合を例示したが、厚底踵部１１１の後端縁の所定範囲のみに曲面を形成するようにしてもよい。
【００３８】
図３は、実施形態１に係る履物の機能向上用補助具１Ａを靴５００に装着する際の手順について説明する図である。図３（ａ）は靴５００の主アウターソール５１０に第１の面ファスナー１２１を取り付けた状態を示す図であり、図３（ｂ）は補助アウターソール１１０Ａの上面に第２の面ファスナー１２２を取り付けた状態を示す図である。
【００３９】
靴５００の主アウターソール５１０に第１の面ファスナー１２１を取り付けるには、主アウターソール５１０の接地面５１１及び第２の面ファスナー１２２の裏面（面ファスナーが存在する面とは反対側の面）の少なくとも一方の面に接着剤を塗布して、第１の面ファスナー１２１を主アウターソール５１０の接地面５１１に接着する。なお、第１の面ファスナー１２１の裏面に予め接着剤が塗布されているタイプの面ファスナーを用いる場合には、接着剤を保護するために貼付されている剥離紙を剥がして当該第１の面ファスナー１２１を主アウターソール５１０に接着することができる。
【００４０】
そして、第１の面ファスナー１２１に設けられている第１の先端側ベルト状面ファスナー１２１ａ及び第１の後端側ベルト状面ファスナー１２１ｂを折り曲げ部１２１ｃにおいてそれぞれ上方（ｚ軸に沿った方向）に折り曲げて、主アウターソール５１０の先端立ち上がり部の一部の区間５１２ａ（図１において灰色で示した部分）及び後端立ち上がり部の一部の区間５１２ｂ（図１において灰色で示した部分）に接着する。このようにすることで、主アウターソール５１０に第１の面ファスナー１２１が取り付けられた状態となる（図３（ａ）参照。）。
【００４１】
前述したように、第１の面ファスナー１２１は、前領域面ファスナー１２１ｄと後領域面ファスナー１２１ｅとに分割されている。このため、第１の面ファスナー１２１を主アウターソール５１０の接地面５１１に取り付けた状態とすると、前領域面ファスナー１２１ｄと後領域面ファスナー１２１ｅとの間の領域（土踏まずにほぼ対応する領域）には、面ファスナーが存在しない領域（面ファスナー非存在領域１２５という。）が形成される（図３（ａ）参照。）。
【００４２】
このようにして、主アウターソール５１０に第１の面ファスナー１２１が取り付けられた状態となれば、図３（ｂ）に示す補助アウターソール１１０Ａを主アウターソール５１０に容易に取り付けることができる。ここで、図３（ｂ）は補助アウターソール１１０Ａの上面に第２の面ファスナー１２２が既に取り付けられている状態を示す図であり、このような状態とするには、補助アウターソール１１０Ａの上面及び第２の面ファスナー１２２の裏面（面ファスナーが存在する面とは反対側の面）の少なくとも一方の面に接着剤を塗布して、第２の面ファスナー１２２を補助アウターソール１１０Ａに接着する。この場合も、第２の面ファスナー１２２の裏面に予め接着剤が塗布されているタイプの面ファスナーを用いる場合には、接着剤を保護するために貼付されている剥離紙を剥がして当該第２の面ファスナー１２２を主アウターソール５１０に接着することができる。
【００４３】
第２の面ファスナー１２２も第１の面ファスナー１２１と同様に、前領域面ファスナー１２２ｄと後領域面ファスナー１２２ｅとに分割されているため、第２の面ファスナー１２２を補助アウターソール１１０Ａの上面に取り付けた状態とすると、土踏まずにほぼ対応する領域には、面ファスナーが存在しない領域（面ファスナー非存在領域１２５という。）が形成される（図３（ｂ）参照。）。
【００４４】
このように、第２の面ファスナー１２２が取り付けられた状態の補助アウターソール１１０Ａを主アウターソール５１０に取り付けるには、補助アウターソール１１０Ａに取り付けられている第２の面ファスナー１２２を、主アウターソール５１０に取り付けられている第１の面ファスナー１２１に接合させる。そして、第２の面ファスナー１２２に設けられている第２の先端側ベルト状面ファスナー１２２ａを折り曲げ部１２２ｃにおいて折り曲げて第１の先端側ベルト状面ファスナー１２１ａ（図３（ａ）参照。）に接合させるとともに、第２の後端側ベルト状面ファスナー１２２ｂを折り曲げ部１２２ｃにおいて折り曲げて第１の後端側ベルト状面ファスナー１２１ｂ（図３（ａ）参照。）に接合させる。このようにすることで、補助アウターソール１１０Ａを主アウターソール５１０に取り付けることができる。
【００４５】
図４は、実施形態１に係る履物の機能向上用補助具１Ａを靴５００に取り付けた状態を示す図である。なお、図４は靴５００に対して第１の面ファスナー１２１及び第２の面ファスナー１２２などの厚みが誇張され描かれている。このことは、後に説明する実施形態２に係る履物の機能向上用補助具１Ｂ及び実施形態３に係る履物の機能向上用補助具１Ｃの説明で用いる図６及び図８においても同様である。
【００４６】
実施形態１に係る履物の機能向上用補助具１Ａを取り付けた靴５００は、片足が不自由な身障者が、車椅子を利用する場合、靴を履いた自分の片足（不自由ではない方の足）で地面又は床面を擦るようにして前進するような動作を行う際に好適なものとなる。
【００４７】
すなわち、片足が不自由な身障者が、車椅子を利用してこのような動作を行う場合においては、前述したように、靴を履いた自分の片足（不自由ではない方の足）の「踵」で地面又は床面を擦ったあと、「踏み付け部」で地面又は床面を擦って推進力を得て前進するといった動作を行う。このような動作を行う際においては、靴を履いた片足の「踵」で地面又は床面を擦った後、「踏み付け部」で地面又は床面を擦って推進力を得て前進するといった動作を、より確実に、かつ、効率よく行えることが重要である。
【００４８】
実施形態１に係る履物の機能向上用補助具１Ａが取り付けられた靴５００（図４参照。）は、このような動作が容易に行える。例えば、右足が不自由な身障者が車椅子を利用する場合においては、当該身障者は図４に示すような靴（実施形態１に係る履物の機能向上用補助具１Ａが取り付けられた靴５００）を左足に履くことによって、靴５００を履いた左足の「踵」で地面又は床面を擦った後、「踏み付け部」で地面又は床面を擦って推進力を得て前進するといった動作を、より確実に、かつ、効率よく行うことができる。
【００４９】
実施形態１に係る履物の機能向上用補助具１Ａは、補助アウターソール１１０Ａの踵部が厚底踵部１１１となっており、しかも、当該厚底踵部１１１の後端部における下面（接地面）及び当該後端部から続く左右の側端部における下面（接地面）が曲面となっている。これは、人間の足の踵に近い形状である。このため、補助アウターソール１１０Ａの厚底踵部１１１の後端部における下面及び当該後端部から続く左右の側端部における下面が直角に近い角部となっている場合に比べて、地面や床などに対する接地面積を大きくすることができる。これにより、靴５００を履いた片足の「踵」で地面又は床面を擦った後、「踏み付け部」で地面又は床面を擦って推進力を得て前進するといった動作を、より確実に、かつ、効率よく行うことができる。
【００５０】
なお、靴５００を履いた片足の「踵」で地面又は床面を擦った後、「踏み付け部」で地面又は床面を擦って推進力を得て前進するといった動作を行う際においては、主アウターソール５１０及び補助アウターソール１１０Ａは、前後方向に反り返る力が働くが、第１の面ファスナー１２１は、面ファスナー非存在領域１２５を境にして前後に分割され、第２の面ファスナー１２２も、面ファスナー非存在領域１２５を境にして前後に分割されている。このため、第１の面ファスナー１２１及び第２の面ファスナー１２２が、主アウターソール５１０及び補助アウターソール１１０Ａに対して働く力（前後方向に反り返る力）の妨げとなることがなく、靴５００を履いた片足の「踵」で地面又は床面を擦った後、「踏み付け部」で地面又は床面を擦って推進力を得て前進するといった動作を無理なく円滑に行うことができる。
【００５１】
また、第１の面ファスナー１２１の第１の先端側ベルト状面ファスナー１２１ａと第２の面ファスナー１２２の第２の先端側ベルト状面ファスナー１２２ａとが接合されているとともに、第１の面ファスナー１２１の第１の後端側ベルト状面ファスナー１２１ｂと第２の面ファスナー１２２の第２の後端側ベルト状面ファスナー１２２ｂとが接合されているため、補助アウターソール１１０Ａが主アウターソール５１０に対して前後方向にずれてしまうといったことを確実に防止できる。
【００５２】
ところで、実施形態１に係る履物の機能向上用補助具１Ａは、長期間使用したり、高い頻度で使用したりすると、補助アウターソール１１０Ａに汚れ、擦り減り、破損などが生じることもあり、交換したい場合もある。このような場合、実施形態１に係る履物の機能向上用補助具１Ａは、補助アウターソール１１０Ａを容易に交換できる。
【００５３】
補助アウターソール１１０Ａを交換する場合には、補助アウターソール１１０Ａに取り付けられている第２の面ファスナー１２２を、靴５００の主アウターソール５１０に取り付けられている第１の面ファスナー１２１から引き剥がして、新しい補助アウターソール１１０Ａに取り付けられている第２の面ファスナー１２２を、靴５００に取り付けられている第１の面ファスナー１２１に接合させればよい。この場合、補助アウターソール１１０Ａに第２の面ファスナー１２２が接着されている状態のものを用意しておけば、容易に、補助アウターソール１１０Ａを交換できる。なお、補助アウターソール１１０Ａに第２の面ファスナーが１２２接着されている状態のものを用意しておくのではなく、その都度、補助アウターソール１１０Ａに第２の面ファスナー１２２を接着してもよい。これは、以下に説明する他の実施形態においても同様である。
【００５４】
また、実施形態１に係る履物の機能向上用補助具１Ａは、使用する靴のサイズに対応できるように、種々のサイズのものを用意することによって、種々のサイズの靴に対応可能となるが、あるサイズの多機能補助具であっても、多少のサイズの違いの靴に使用可能となる。これは、以下に説明する他の実施形態においても同様である。
【００５５】
なお、実施形態１に係る履物の機能向上用補助具１Ａにおいては、補助アウターソール１１０Ａは、主アウターソール５１０全面に対応するような形状としたが、補助アウターソール１１０Ａは、必ずしも、主アウターソール５１０全面に対応して設けなくてもよく、主アウターソール５１０の踵部を含む後領域５１１ｂのみに対応したものであってもよい。
【００５６】
［実施形態２］
図５は、実施形態２に係る履物の機能向上用補助具１Ｂを説明するために示す図である。実施形態２に係る履物の機能向上用補助具１Ｂの基本的な構成は実施形態１に係る履物の機能向上用補助具１Ａとほぼ同様であり、実施形態１に係る履物の機能向上用補助具１Ａの各構成要素と同一の構成要素については同一符号が付されている。
【００５７】
実施形態２に係る履物の機能向上用補助具１Ｂは、主に歩行する際に使用するものである。このため、実施形態２に係る履物の機能向上用補助具１Ｂは、補助アウターソール（補助アウターソール１１０Ｂとする。）が実施形態１に係る履物の機能向上用補助具１Ａの補助アウターソール１１０Ａと異なる。以下、図５を参照して実施形態２に係る履物の機能向上用補助具１Ｂを説明する。
【００５８】
実施形態２に係る履物の機能向上用補助具１Ｂは、歩行する際に使用するものであり、しかも、補助アウターソール１１０Ｂの接地面に滑り止め機能を有するものとなっている。補助アウターソール１１０Ｂが滑り止め機能を有するものとするためには、例えば、補助アウターソール１１０Ｂの材質を、スタッドレスタイヤなどに使用される合成ゴムなどのように、氷結路などに対して摩擦力の大きな材質を用い、かつ、接地面に滑りにくい凹凸を形成するようにしたり、補助アウターソール１１０Ｂの接地面にスパイクのようなピンを植え込むようにしたりすることが例示できるが、特に限定されるものではない。
【００５９】
なお、図５においては図示されていないが、実施形態２に係る履物の機能向上用補助具１Ｂにおける補助アウターソール１１０Ｂは、氷結路などに対して摩擦力の大きな材質を用い、かつ、接地面に滑りにくい凹凸が形成されたものとなっているものとする。また、図５においては、左の靴に対応する履物の機能向上用補助具１Ｂについてのみが図示されているが、実施形態２においては、左右両方の靴に対応する履物の機能向上用補助具１Ｂを用意しておく。
【００６０】
図６は、実施形態２に係る履物の機能向上用補助具１Ｂが装着された状態の靴を示す図である。図６は実施形態２に係る履物の機能向上用補助具１Ｂを左の靴に装着した状態が示されているが、実施形態２に係る履物の機能向上用補助具１Ｂを左右の靴に装着することによって、滑りにくい靴とすることができる。
【００６１】
また、実施形態２に係る履物の機能向上用補助具１Ｂにおいても、補助アウターソール１１０Ｂを交換する場合には、補助アウターソール１１０Ｂに取り付けられている第２の面ファスナー１２２を、主アウターソール５１０に取り付けられている第１の面ファスナー１２１から引き剥がして、新しい補助アウターソールに取り付けられている第２の面ファスナー１２２を主アウターソール５１０に既に取り付けられている第１の面ファスナー１２１に接合させればよい。
【００６２】
なお、実施形態２に係る履物の機能向上用補助具１Ｂにおいて説明した滑り止め機能は、実施形態１に係る履物の機能向上用補助具１Ａにおいて説明した補助アウターソール１１０Ａにおいても有するようにしてもよい。実施形態１に係る履物の機能向上用補助具１Ａが滑り止め機能を有することにより、自分の片足の「踵」で地面又は床面を擦ったあと、「踏み付け部」で地面又は床面を擦って推進力を得て前進するといった動作を行う際に、より大きな推進力を得ることができる。
【００６３】
［実施形態３］
図７は、実施形態３に係る履物の機能向上用補助具１Ｃを説明するために示す図である。実施形態３に係る履物の機能向上用補助具１Ｃの基本的な構成は実施形態２に係る履物の機能向上用補助具１Ｂとほぼ同様であり、実施形態２に係る履物の機能向上用補助具１Ｂの各構成要素と同一の構成要素については同一符号が付されている。実施形態３に係る履物の機能向上用補助具１Ｃは、靴５００のつま先部を覆うことができる「つま先カバー１５０」が補助アウターソールに設けられている点が実施形態２に係る履物の機能向上用補助具１Ｂと異なる。なお、つま先カバー１５０が設けられている補助アウターソールを補助アウターソール１１０Ｃとする。以下、図７を参照して実施形態３に係る履物の機能向上用補助具１Ｃを説明する。
【００６４】
実施形態３に係る履物の機能向上用補助具１Ｃは、図７に示すように、補助アウターソール１１０Ｃには、つま先カバー１５０が設けられている。当該つま先カバー１５０の材質は、特に限定されるものではないが、強化プラスチックや金属などのように、容易には変形しにくく、高い剛性を有する部材からなることが好ましい。なお、補助アウターソール１１０Ｃは、特に限定されるものではないが、ここでは、実施形態２に係る履物の機能向上用補助具１Ｂにおける補助アウターソール１１０Ｂと同様に、滑り止め機能を有する補助アウターソールであるとする。また、図７においては、左の靴に対応する履物の機能向上用補助具１Ｃについてのみが図示されているが、実施形態３においては、実施形態２に係る履物の機能向上用補助具１Ｂと同様、左右両方の靴に対応する履物の機能向上用補助具１Ｃを用意しておく。
【００６５】
図８は、実施形態３に係る履物の機能向上用補助具１Ｃが装着された状態の靴５００を示す図である。図８は実施形態３に係る履物の機能向上用補助具１Ｃを左の靴に装着した状態が示されているが、実施形態３に係る履物の機能向上用補助具１Ｃを左右の靴に装着することによって、つま先部が保護された安全性の高い靴（安全靴）としての機能を有する。このため、実施形態３に係る履物の機能向上用補助具１Ｃを装着した靴を作業者などが履くことにより、当該作業者の足のつま先が保護される。例えば、日常的に履いている一般的な靴（例えば、スニーカーなど）に、実施形態３に係る履物の機能向上用補助具１Ｃを装着すれば、安全靴として機能することとなる。従って、身近なところで災害などが発生した場合、日常的に履いている一般的な靴を安全靴として使用することができる。
【００６６】
また、実施形態３に係る履物の機能向上用補助具１Ｃにおいても、補助アウターソール１１０Ｃを交換する場合には、補助アウターソール１１０Ｃに取り付けられている第１の面ファスナー１２２を、主アウターソール５１０に取り付けられている第２の面ファスナー１２１から引き剥がして、新しい補助アウターソール１１０Ｃに取り付けられている補助アウターソール１１０Ｃに取り付けられている第２の面ファスナー１２２を主アウターソール５１０に既に取り付けられている第１の面ファスナー１２１に接合させればよい。
【００６７】
以上説明したように、各実施形態に係る履物の機能向上用補助具１Ａ，１Ｂ，１Ｃによれば、各実施形態に係る履物の機能向上用補助具１Ａ，１Ｂ，１Ｃを、履物（この場合、靴５００）にもともと設けられているアウターソール（主アウターソール５１０）に取り付けることによって、当該靴５００に多種の機能を持たせることができる。例えば、第１の面ファスナー１２１を、ある１つの靴（日常的に履いている一般的な靴とする。）のアウターソール（主アウターソール５１０）に予め取り付けておけば、補助アウターソール１１０Ａ，１１０Ｂ，１１０Ｃを選択的に用いるだけで、多種の機能を有する靴として使用可能となる。
【００６８】
すなわち、日常的に履いている一般的な靴に第１の面ファスナー１２１を予め取り付けておき、補助アウターソール１１０Ａ，１１０Ｂ，１１０Ｃの中から１つの補助アウターソールを選択して、当該選択した補助アウターソールに取り付けられている第２の面ファスナー１２２を当該靴の主アウターソール５１０に取り付けられている第１の面ファスナー１２１に取り付けることによって、所定の機能を有する靴とすることができる。
【００６９】
例えば、実施形態１に係る履物の機能向上用補助具１Ａにおける補助アウターソール１１０Ａを、日常的に履いている一般的な靴に予め取り付けられている第１の面ファスナー１２２に接合させることによって、車椅子を利用する身障者が、靴を履いた自分の片足（不自由ではない方の足）で地面又は床面を擦るようにして前進するような動作を行う場合、その動作をより確実に、かつ、効率よく行うことができる。
【００７０】
また、実施形態２に係る履物の機能向上用補助具１Ｂにおける補助アウターソール１１０Ｂを、日常的に履いている一般的な靴に取り付けられている第１の面ファスナー１２２に接合させることによって、当該靴は滑り止め機能を有する靴となる。
【００７１】
また、実施形態３に係る履物の機能向上用補助具１Ｃにおける補助アウターソール１１０Ｃを、当該日常的に履いている一般的な靴に取り付けられている第１の面ファスナーに接合させることによって、当該靴は安全靴としての機能を有する靴となる。実施形態３に係る履物の機能向上用補助具１Ｃにおいて説明したつま先カバー１５０は、実施形態１に係る履物の機能向上用補助具１Ａにおいて説明した補助アウターソール１１０Ａにおいても、設けるようにしてもよい。
【００７２】
なお、本考案は上述の実施形態に限られるものではなく、本考案の要旨を逸脱しない範囲で種々変形実施可能となるものである。たとえば、下記に示すような変形実施も可能である。
【００７３】
（１）上記実施形態においては、第１の面ファスナー１２１は、主アウターソール５１０の下面（接地面）に直接取り付けるようにし、また、第２の面ファスナー１２２は、補助アウターソール１１０Ａ，１１０Ｂ，１１０Ｃの上面に直接取り付けるようにしたが、本考案の変形例として、第１の面ファスナー１２１と主アウターソール５１０との間、及び、第２の面ファスナー１２２と補助アウターソール１１０Ａ，１１０Ｂ，１１０Ｃとの間の少なくとも一方には、シートが介在された構成であってもよい。ここでは、実施形態１に係る履物の機能向上用補助具１Ａを例にとって説明する。
【００７４】
図９は、本考案の変形例を説明するために示す図である。なお、図９は図２に対応する図である。図９に示すように、第１の面ファスナー１２１はシート１２３に接着されており、第２の面ファスナー１２２はシート１２４に接着されている。なお、図９に示す例においては、シート１２３，１２４は、それぞれ伸縮性を有するシートであるとする。なお、伸縮性を有するシートとしては、例えば、薄手のゴムシートなどを好ましく用いることができる。
【００７５】
このような構成となっていることにより、第１の面ファスナー１２１と主アウターソール５１０との間には、伸縮性を有するシート１２３が介在され、また、第２の面ファスナー１２２と補助アウターソール１１０Ａとの間には、伸縮性を有するシート１２４が介在されることとなる。また、シート１２３，１２４は、両面に接着剤が塗布されている両面接着シート又は片面に接着剤が塗布されている片面接着シートであってもよく、両面とも接着剤が塗布されていないシートであってもよい。片面接着シートや接着剤が塗布されていないシートである場合には、接着剤が塗布されていない面に接着剤を塗布する。
【００７６】
なお、図９の例では、シート１２３，１２４として、薄手のゴムシートなどでなる伸縮性を有するシート１２３，１２４を用いた場合を例示したが、シート１２３，１２４としては、防刃性を有するシートを用いるようにしてもよい。この場合、第１の面ファスナー１２１と主アウターソール５１０との間、及び、第２の面ファスナー１２２と補助アウターソール１（例えば補助アウターソール１１０Ａとする。）との間の少なくとも一方には、防刃性を有するシートが介在された構成とする。
【００７７】
なお、防刃性を有するシートとしては、例えば、防刃ベストなどに使用される繊維を採用できる。ここで、防刃ベストなどに使用される繊維としては、ケブラー（登録商標）を用いた繊維を例示できる。このような防刃性を有するシートを補助アウターソール１１１と第２の面ファスナー１２２との間に介在させることによって、災害時などにおいて、鋭く尖ったガラスの破片や金属などから足を保護することができる。
【００７８】
図９に示す例においては、第１の面ファスナー１２１と主アウターソール５１０との間、及び、第２の面ファスナー１２２と補助アウターソール１１０Ａとの間の両方に、それぞれシートが介在された構成を示したが、第１の面ファスナー１２１と主アウターソール５１０との間のみにシート１２３を介在させた構成としてもよく、また、第２の面ファスナー１２２と補助アウターソール１１０Ａにみにシート１２４を介在させた構成としてもよい。また、図９に示す例においては、実施形態１に係る履物の機能向上用補助具１Ａを例にとって説明したが、他の実施形態においても同様に実施できる。
【００７９】
（２）上記各実施形態においては、第１の面ファスナー１２１には、第１の先端側ベルト状面ファスナー１２１ａ及び第１の後端側ベルト状面ファスナー１２１ｂが設けられているが、さらに、主アウターソール５１０の左右の側面立ち上がり部に対応するベルト状の面ファスナーを設けるようにしてもよい。また、第２の面ファスナー１２２も、第１の面ファスナー１２１における左右の側面立ち上がり部に対応するベルト状の面ファスナーに対応して、主アウターソール５１０の左右の側面立ち上がり部に対応するベルト状の面ファスナーを設けるようにしてもよい。このように、第１の面ファスナー１２１及び第２の面ファスナー１２２に、主アウターソール５１０の左右の側面立ち上がり部に対応するベルト状の面ファスナーをそれぞれ設けることによって、補助アウターソール１１０Ａ，１１０Ｂ，１１０Ｃが主アウターソール５１０に対して左右方向にずれてしまうといったことを確実に防止できる。
【００８０】
（３）上記各実施形態においては、履物は靴であるとして説明したが、サンダルなどであってもよい。
【符号の説明】
【００８１】
１Ａ，１Ｂ，１Ｃ・・・履物の機能向上用補助具、１１０Ａ、１１０Ｂ、１１０Ｃ・・・補助アウターソール、１１１・・・踵部（厚底踵部）、１２０・・・補助アウターソール取り付け部材、１２１・・・第１の面ファスナー、１２１ａ・・・第１の先端側ベルト状面ファスナー、１２１ｂ・・・第１の後端側ベルト状面ファスナー、１２１ｃ・・・折り曲げ部、１２１ｄ・・・前領域面ファスナー、１２１ｅ・・・後領域面ファスナー、１２２・・・第２の面ファスナー、１２２ａ・・・第２の先端側ベルト状面ファスナー、１２２ｂ・・・第２の後端側ベルト状面ファスナー、１２２ｃ・・・折り曲げ部、１２２ｄ・・・前領域面ファスナー、１２２ｅ・・・後領域面ファスナー、１２３，１２４・・・伸縮性を有するシート、１２５・・・面ファスナー非存在領域、１５０・・・つま先カバー、５００・・・靴（履物）、５１０・・・主アウターソール、５１１・・・接地面、５１１ａ・・・踏み付け部を含む前領域、５１１ｂ・・・踵部を含む後領域、５１２ａ・・・先端側立ち上がり部の一部の区間、５１２ｂ・・・後端側立ち上がり部の一部の区間
【図１】
0003224577.tif 000003
【図２】
0003224577.tif 000004
【図３】
0003224577.tif 000005
【図４】
0003224577.tif 000006
【図５】
0003224577.tif 000007
【図６】
0003224577.tif 000008
【図７】
0003224577.tif 000009
【図８】
0003224577.tif 000010
【図９】
0003224577.tif 000011
【図１０】
0003224577.tif 000012